(57)【特許請求の範囲】
【請求項１】
放射線を受けて正孔及び電子を生成する半導体素子と、
前記半導体素子に電界を形成するように電圧が印加されるカソード及びアノードと、
前記アノード電圧より低い電圧が印加される第１のグリッドと、
前記第１のグリッドより低く、前記カソードより高い電圧が印加される第２のグリッドとを有し、
前記カソードは、前記アノードを有する前記半導体素子の面と対向する面に配置され、
前記アノードは、環状であり、
前記第１のグリッドは、前記アノードの内側に配置され、
前記第２のグリッドは、前記アノードに対して反第１のグリッド側に配置されることを特徴とする放射線検出器。
【請求項２】
請求項１において、前記アノードと前記第１のグリッドの距離は、前記第１グリッドと前記第２グリッドの間の距離よりも、短いことを特徴とする放射線検出器。
【請求項３】
請求項１において、前記アノードを有する前記半導体素子の面及び前記カソードを有する前記半導体素子の面と異なる面で前記半導体素子を取り囲むように形成された複数の延長カソードが設けられており、前記複数の延長カソードに対して選択的に電圧が印加可能であることを特徴とする放射線検出器。
【請求項４】
請求項１において、前記アノードと前記第１のグリッドとの距離は、半導体素子に依存する電子の平均寿命距離よりも短いことを特徴とする放射線検出器。
【請求項５】
請求項１において、前記第２グリッドに対して反アノード側に設けられ前記第２のグリッドより低い電圧が印加された第３のグリッドを有することを特徴とする放射線検出器。
【請求項６】
請求項１において、前記カソード，前記アノード，前記第１のグリッド及び前記第２のグリッドは組をなし、前記組は複数あり、所定のグリッドとそれとは異なる組のグリッドは同電圧となっていることを特徴とする放射線検出器。
【請求項７】
放射線を受けて正孔及び電子を生成する半導体素子と、
前記半導体素子の表面に形成されたカソードと、
前記カソードを有する前記半導体素子の面と対向する面に配置された環状のアノードと、
前記半導体素子の表面で、前記アノードの内側及び外側に設けられた第１のグリッドと、
前記半導体素子の表面で、前記外側に設けられた第１のグリッドに対して反アノード側に設けられた第２のグリッドを有し、
前記アノードの電圧は前記第１のグリッドの電圧より大きく、
第１のグリッドの電圧は前記第２のグリッドの電圧より大きく、
前記第２のグリッドの電圧は前記カソードの電圧よりも大きなことを特徴とする放射線検出器。
【請求項８】
請求項７において、前記環状のアノードは、Ｃ字状のアノードであることを特徴とする放射線検出器。
【請求項９】
請求項１，７または８において、前記カソード、前記アノード、前記第１のグリッド及び第２のグリッドは組をなし、前記組は複数あり、複数の前記第１のグリッドをつないで同じ電位とすることを特徴とする放射線検出器。
【請求項１０】
請求請１，７または８において、前記アノードを有する前記半導体素子の面及び前記カソードを有する前記半導体素子の面と異なる面で前記半導体素子を取り囲むように形成される複数の延長カソードを設け、前記複数の延長カソードに対して選択的に電圧を印加することによって前記アノードと前記カソードの距離が可変となることを特徴とする放射線検出器。
【請求項１１】
請求項９において、前記各組の前記アノード及び前記カソードから出力される信号は信号読出回路実装基板へ送られ、複数の検出器内読出部と信号読出回路実装基板の読出部との間をバンプハンダによって挟み導通をとることを特徴とする放射線検出器。
【請求項１２】
放射線を受けて正孔及び電子を生成する略円錐あるいは略多角形錐形状の半導体素子と、
前記半導体素子の底面部に形成されるカソードと、
前記半導体素子の頂点部に形成されるアノードと、
前記半導体素子の前記アノードと所定距離離れて、前記底面部および前記頂点部と異なる前記半導体素子の側面に周状に形成されるグリッドとを有し、
前記グリッドは前記アノードより低く、前記カソードより高い電圧が印加され、
前記半導体素子は球に近い形状を持つように複数組合わされたことを特徴とした放射線検出器。
【請求項１３】
請求項１ないし請求項１２のいずれか１項に記載の半導体検出器を有し、
前記半導体素子は被検体を透過及び被検体内部より生成する放射線を受けて正孔及び電子を生成し、
前記カソード及び前記アノードからの信号に基づいて前記被検体に関する画像を処理する処理手段を有することを特徴とする放射線検査装置。
【請求項１４】
請求項１ないし請求項１２のいずれか１項に記載の半導体検出器を有し、
前記半導体素子は被検体を透過或いは被検体内部より生成する放射線を受けて正孔及び電子を生成し、
前記カソード及び前記アノードからの信号に基づいて前記被検体に関する画像を処理する処理手段を有することを特徴とする放射線検査装置。
【発明の詳細な説明】
【０００１】
【発明の属する技術分野】
本発明は、放射線検出器および放射線検査装置に関する。
【０００２】
【従来の技術】
近年、電離放射線の検出は半導体素子を用いるものが主流になりつつある。半導体素子によって放射線は正孔及び電子に変換されるが、半導体素子の表面にカソード電極及びアノード電極を形成し、それらの間に電圧を印加することによって正孔及び電子を検出する。すなわち、カソード電極及とアノード電極との間に電界を形成して、正孔及び電子をそれぞれカソード電極及とアノード電極の方向に移動せしめ、正孔及び電子の移動に伴ってカソード電極及びアノード電極に誘起される電圧を検出するのである。
【０００３】
ところで、電子及び正孔は半導体母材に固有の平均寿命を持っているが、特に、正孔は比較的に短い時間で消滅する傾向がある。ある電極で信号を採るときにその周りに定電位を与えた他の電極を設置すると、その外側での電荷の移動による信号取得電極に対する誘起電荷を遮蔽することができる。そこで、アノード電極の近傍に電極を設け、遮蔽電極としアノード電極とカソード電極の中間の電圧を印加する技術が考えつかれた。この電極は、フリッシュグリッドと呼ばれることが多い。この電極構造によると、正孔が短い時間に消滅しても、正孔を比較的に効率よく検出することができる。この技術は、例えば、特開平９−171081号公報，特開２０００−１２１７３８号公報、或いは、特表平１０−５１２３７２号公報に記載されている。
【０００４】
【発明が解決しようとする課題】
しかしながら、上記の従来の技術では、アノード電極側の面近傍でグリッドの外側における電解が非常に弱くなる。その領域では、電子の収集に時間がかかり、信号検出の遅延が免れない、また、電子の平均寿命距離も短くなるためエネルギー分解能が低下し、検出効率そのものも低下してしまう。本発明の目的は、従来の技術よりも、検出精度の向上が可能な放射線検出器或いはその検出器を用いた放射線検査装置を提供することにある。
【０００５】
【課題を解決するための手段】
上記目的を達成するために、本発明では、カソード電圧以上で且つアノード電圧以下の電圧が印加されアノード迄の距離がカソードよりも近く設定された第１のグリッドと、第１グリッドに対して反アノード側に設けられ第１のグリッドより低い電圧が印加された第２のグリッドを有するように構成した。
【０００６】
或いは、第１のグリッドと、第１グリッドとの間に電界を形成する第２のグリッドを有するように構成した。
【０００７】
或いは、半導体素子の表面にアノードと所定距離離れて設けられた第１のグリッドと、半導体素子の表面にアノード側と反対側で第１のグリッドと所定距離離れて設けられた第２のグリッドを有し、アノードの電圧は第１のグリッドの電圧以上であり、第１のグリッドの電圧は第２のグリッドの電圧より大きく、第２のグリッドの電圧はカソードの電圧よりも大きなように構成した。
【０００８】
或いは、アノードから所定距離離れて半導体素子に形成されたグリッドを複数有し、複数のグリッドはそれぞれ独立して電圧が印加可能なように構成した。
【０００９】
或いは、アノードを２重に囲むグリッドをそれぞれ設け、それぞれの２重のグリッドは互いに独立して電圧を印加可能であるように構成した。
【００１０】
或いは、複数のアノードの周りにそれぞれグリッドを配し、それぞれのグリッドは同電位を与えられるように組合わされて単一的に構成され、且つ、他の電位の電極と交わることなくアノードを取り囲むように構成した。
【００１１】
或いは、周状のアノードの内側と外側に互いに独立して電圧を印加可能なグリッドを設けるように構成した。
【００１２】
或いは、半導体素子の所定の面と異なる面に周状に形成された複数のアノードと、複数のアノード周囲にそれぞれ設けられたグリッドを有し、それぞれのアノードの内側と外側に、独立して電圧印加可能で同一平面内で他の電極と交わることなく単一の電極となるようなグリッドを有するように構成した。
【００１３】
或いは、アノードと所定距離離れて半導体素子に形成されたグリッドを有し、カソード，アノード及びグリッドは組をなして複数組設けられ、各組においてアノード及びカソードから出力される信号は信号読出回路実装基板へ送られ、複数の検出器内読み出し部と信号読出回路実装基板の読出部との間をバンプハンダによって挟み導通をとるように構成した。
【００１４】
或いは、放射線を受けて正孔及び電子を発生する略円錐あるいは略多角形錐形状の半導体素子と、半導体素子を複数組合わせ、それぞれの半導体素子の底面部にカソードを形成すると共に、それぞれの半導体素子の頂点部にアノードを形成し、さらには、それぞれの半導体素子のアノードと所定距離離れてグリッドを形成し、半導体素子は球に近い形状を持つように組合わされるように構成した。
【００１５】
或いは、本発明では、放射線検出素子は、放射線を照射することにより電荷を生成する半導体素子と、その素子に形成されたアノードと、その素子に形成されたカソードと、アノードの近傍でアノードを多重に取り囲む前記素子に形成された複数の独立したグリッドを備える構造を持つ。本発明の電極構造を持つ検出素子は電界強度分布を適切に設け素子内に生成する電荷を速やかにかつ効率的に収集可能となり、上課題の検出効率やエネルギー分解能を大幅に向上する性能を発揮することができる。
【００１６】
【発明の実施の形態】
以下、本発明の詳細な説明を実施例を用いて説明する。図１は本発明の多重グリッド検出器の構成を示す。多重グリッド検出器１０１は人体１０２内に投与されたラジオアイソトープ１０３または放射線発生装置１０４から発生する放射線を検出する。ラジオアイソトープ１０３は人体内の病巣に集まる化学形を持ったＦＤＧ（フルオロデオキシグルコース）に含まれるＦ−１８やニューロライト（Ｔｃ−９９ｍ−ＥＣＤ）に含まれるＴｃ−９９ｍなどである。放射線発生装置１０４はＸ線発生装置などである。多重グリッド検出器１０１は後段のデータ収集解析装置１０５に接続し、入出力装置１０６および撮像表示装置１０７などで放射線撮像装置を構成する。
【００１７】
図３は多重グリッド検出器の詳細を示す。多重グリッド検出器は半導体素子３０１上に複数の電極を設けて構成する。半導体素子３０１は表面の一部に円形のアノード３０２およびその周囲に周状の第一グリッド３０３，第二グリッド３０４，第三グリッド３０５を持つ。第一グリッド３０３（アノード最近傍グリッド）は半導体素子１上にあり、面内においてアノードの全周を取り囲んでいる。同じく第二グリッド３０４は第一グリッド３０３のまわりを、第三グリッド３０５は第二グリッド３０４のまわりを取り囲んでいる。また半導体素子３０１はアノード３０２とグリッド３０３〜３０５がある面の対向面にカソード３０６を持つ。
【００１８】
さて、アノード３０２及びカソード３０６を平板二電極型として有することにより電離放射線を検出するものでは、特に光子放射線（Ｘ線，γ線）の検出においては検出効率を高めるため、アノード３０２からカソード３０６までの距離を大きくして厚くしなければならない。ところで、電子や正孔は母材の半導体に固有の平均寿命を持つ。また、電子や正孔は半導体内の電界の強さに応じた速度を持っており、さらに、電子や正孔はこの速度と寿命時間の積である距離しか移動できない。この移動可能な距離は一般に電子の方が正孔よりも１０倍程度長い。アノード３０２からカソード３０６までの距離を、正孔の移動可能な距離よりも厚くすると、正孔捕獲現象により正孔がカソードに到達できない可能性がでてくる。不完全な電荷収集は、検出器のエネルギー分解能を低下させるので、第一グリッド３０３を配置し、空間の持つ信号出力への寄与率をアノードの近傍に集中させることで、収集の悪い正孔による誘起電荷を抑え、収集の良い電子を優先させて信号を得ることができる。
【００１９】
図２において、例えば、光子放射線（Ｘ線，γ線）が半導体素子３０１に入射されると、そのエネルギーに応じた確率で、電離放射線２０４が半導体素子301内の原子と反応する。それによって、半導体素子３０１内で電離を起こし電子２０５と正孔２０６を生成する。電子２０５はアノード３０２に、正孔２０６はカソード３０６に向かって移動しながらアノード３０２に誘起電荷を発生させていく。この誘起電荷とは検出器内で放射線との相互作用で発生した電子や正孔群が移動するときに各電極に対して誘起される電荷である。アノード３０２で得られる電圧信号は発生した誘起電荷の量に比例する。アノード３０２の近傍に第一グリッド３０３を設置することで、電子２０５または正孔２０６が移動したときにアノード３０２に対して誘起電荷を発生させる領域をアノード３０２から第一グリッド３０３までの狭い部分に集中させることができる。これにより正孔206の移動による誘起電荷はアノード２０２に生成されない。正孔２０６が正孔捕獲反応によりカソード３０６に辿り着くまでに失われても電圧信号波高値には影響することがないためアノード３０２−カソード３０６間の距離が増大し正孔が捕獲される率が高くなってもエネルギー情報を失われない信号が得られる。
【００２０】
さらに、図３を用いて詳細を説明する。位置▲１▼はカソード３０６を示し電圧０Ｖ相当である。さらに、位置▲２▼は電圧１００Ｖ相当であり、位置▲３▼は２００Ｖ相当である。位置▲１▼から▲３▼までは電界強度はほぼ均一である。しかしながら、位置▲４▼では電圧３００Ｖ相当となり、位置▲４▼と位置▲５▼（カソード３０６）迄の距離は比較的に短いにもかかわらず、電圧３００Ｖ相当から電圧５００Ｖ相当に急激に上昇している。すなわち、カソード３０６近傍には電界が集中しているのである。
【００２１】
ここで、位置▲１▼から▲２▼までの電界強度は位置▲２▼から▲３▼までの電界強度とほぼ等しく（若干位置▲２▼から▲３▼までの電界強度の方が強い）、さらに、位置▲２▼から▲３▼迄の電界強度、位置▲３▼から▲４▼迄の電界強度、位置▲４▼から▲５▼迄の電界強度の順に電界強度が大きくなっている。特に、電位置▲４▼から▲５▼迄の電界強度は他の電界強度と比較してかなり大きくなっている。
【００２２】
また、移動方向を示す矢印Ａ〜Ｅについて、電界強度▲１▼から▲２▼までは矢印Ａ〜Ｅについて中心軸より外側に向かうにしたがって（Ａ→Ｅの方向にしたがって）、位置▲１▼から位置▲２▼までの距離が大きくなっていないが、しかしながら、位置▲２▼から位置▲５▼の方向に行くにしたがって、矢印Ａ〜Ｅにより距離のばらつきがちいさくなっている、すなわち、アノード３０２に近づくにつれて、集中電界の境界の形状により類似している。
【００２３】
位置▲２▼における等電位線は中心線から側壁２１０，２１１まで延びているが、位置▲３▼でもほぼ側壁に位置する第三グリッド３０５まで延びており、位置▲４▼における等電位線は、中心線と側壁の等距離となる線よりもさらに側壁側に置かれた第二グリッド３０４まで延びている。
【００２４】
このことは、例えば、図２における領域イのような側壁に近く且つアノード３０２に近い位置で電子２０５が発生しても、等電位線▲３▼により電子２０５がアノード３０２方向に付勢され、さらに、等電位線▲４▼により電子２０５がアノード３０２方向に付勢され続けられることとなる。すなわち、電子２０５或いは正孔２０６が半導体素子３０１のどの位置で発生したとしても、速やかに、アノード３０２或いはカソード３０６の方向に付勢されるのである。
【００２５】
ここで、図３の▲２▼付近で、電離放射線２０４によって、電子２０５と正孔206を生成したとすると、正孔２０６はカソード３０６に向かい、単位距離進むと電界強度に応じた信号強度をカソード３０６に誘起する。一方、同様に、電子205はアノード３０２に向かい、アノード３０２に所定の信号を誘起する。この信号は空間の持つ信号出力への寄与率に応じて出力される。すなわち、図３に示されるような、信号出力がカソード３０６及びアノード３０２に誘起されることとなる。
【００２６】
ところで、電子２０５は消滅までの時間が比較的に長く、半導体素子３０１の何れの位置で生成されても、ほとんどの電子２０５がアノード３０２に到達する。一方、正孔２０６は消滅までの時間が短く、短い距離進むのみで、消滅してしまう。そこで、アノード３０２から第１グリッド３０３より遠い空間を移動する正孔による信号がアノード３０２に出力しないようにする。
【００２７】
ある電極で信号を採るときにその周りに定電位を与えた他の電極を設置すると、その外側での電荷の移動による信号取得電極に対する誘起電荷を遮蔽することができる。
【００２８】
例えば、位置▲４▼のように、正孔２０６がカソード３０６近くで発生すると、正孔２０６がカソード３０６方向に移動するにつれてアノード３０２に誘起する信号強度は小さい。そのため、それらは全体の信号強度に大きな影響を与えることがないので、出力信号の不安定さを小さくできる。なお、アノード３０６と前記第一グリッド３０３との距離は、半導体素子に依存する電子の平均消滅距離程度よりも短いこととするのが望ましい。
【００２９】
したがって、第一グリッド３０３に任意のバイアスを与えることで第一グリッド３０３はアノード３０２に対して誘起電荷を生成できる領域を狭める働きを持つ。これにより正孔はほぼアノード３０２に誘起電荷を生成せず、正孔捕獲によるエネルギー分解能の低下を抑えることが可能となる。また第一グリッド３０３にアノード３０２より低いバイアス，第二グリッド３０４に第一グリッド３０３より低いバイアス，第三グリッド３０５に第二グリッド３０４より低いバイアスを順次かけていくことで第一グリッド３０３から第三グリッド３０５は半導体素子３０１内部全域にわたり電界を強め、電荷の速やかな収集をなす働きを持つ。従来型Frisch Grid 検出器ではアノード３０２付近から若干でも遠くなる電界が非常に弱くなっていたが、多重グリッドによりほぼ半導体素子全域を有感体積とできるため検出効率が高くなる。
【００３０】
これは１８０度対向の同時計測を行い検出効率が片側の検出器の検出効率の二乗で決定するＰＥＴ（ポジトロンエミッショントモグラフィ）においては検出効率向上の点で重要な役割を果たす。従来の検出器の効率が５％程度（５×５×５mm3 ＣｄＴｅ素子）に対し本発明の素子は２０％程度に向上する。これをＰＥＴに採用したときの効率に換算すると０.２５％対４％ と約１６倍の効率向上となることが分かる。
【００３１】
また放射線と半導体素子との反応から信号生成終了までの時間が短くなり、半導体素子内の反応位置の差による信号生成にかかる時間の差が小さくなる。これもＰＥＴにおいて高速の同時計測を行う上で同時計測時間分解能の向上に大きく寄与する。これにより従来検出器で同時時間分解能が１６ｎｓに対し１０ｎｓ以下の性能を維持する効果を発揮する。
【００３２】
多重グリッドの数は３本に限らず２本でも１０本でもよい。またバイアスのかけ方も自由であり、図２と同様の形状を持つ電極において図内第一グリッド３０３をアノードとして用い、図内アノード３０２と第二グリッド３０４を最近傍のグリッドとすることも可能である。このときにはアノードのまわりの電界が強い部分は更に広範囲となり、半導体素子３０１内での反応位置による信号の時間依存性が更に小さくなる
【００３３】
なお、アノード３０２と第１グリッド３０３との電位差を大きくしすぎないことにより、アノード３０２と第１グリッド３０３との間のリーク電流を減らすことができる。リーク電流低減はＳ／Ｎの改善につながり検出器のエネルギー分解能を向上させる。
【００３４】
つぎに、図４を用いて、半導体素子３０１における変形例を説明する。なお、図５で、さらに別の変形例を説明するが、何れの例においても、以下の説明において、図３の半導体素子３０１に代替して用いることができる。
【００３５】
図４において、第二グリッド３０４に２００Ｖの電圧を印加し、また、第三グリッド３０５に１００Ｖの電圧を印加する。すなわち、図２及び図３に示す実施例と比較して、第二グリッド３０４に印加する電圧及び第三グリッド３０５に印加する電圧を低くする。なお、他の部分は図２及び図３に示す実施例と同様であるので説明を省略する。ここで、太線は図４にかかる実施例による電気力線であり、一点斜線は図２及び図３にかかる実施例による電気力線を示している。
【００３６】
このように、第二グリッド３０４に印加する電圧及び第三グリッド３０５に印加する電圧を低くすると、半導体素子の中心軸では、上記実施例と比較して、電界強度がほぼ同じであるが、しかしながら、中心軸から半導体素子３０１の側壁側に向かうに従って、徐々に、電気力線は側壁２１０，２１１と反対側に逸れてくる。すなわち、上記実施例と比較して、側壁側で電子２０５をアノード３０２に加速する力が小さく、そのため、電子２０５の収集率が小さくなる。
【００３７】
つぎに、さらに別の実施例について図５を用いて説明する。第二グリッド304に印加する電圧及び第三グリッド３０５に印加する電圧は、図２及び図３の例と同じである。図２及び図３の例では、アノード３０２と第一グリッド３０３の距離，第一グリッド３０３と第二グリッド３０４の距離，第二グリッド３０４の距離と第三グリッド３０５の距離がほぼ同じに設定されている。図５の例では、アノード３０２と第一グリッド３０３の距離，第一グリッド３０３と第二グリッド３０４の距離，第二グリッド３０４の距離と第三グリッド３０５の距離が順に大きくなるように設定してる。
【００３８】
このようにそれぞれの距離を設定すると、アノード３０２を中心として電子２０５を収集するための電界が、図２及び図３に示す実施例と比較して、強くなる。
【００３９】
図６は単一の半導体素子４０１上に電極のみを二次元アレイ状に配置した検出器を示す。アノード４０２を二次元アレイ状に配置し、半導体素子４０１の面上においてそれぞれのアノード４０２のまわりを第一グリッド４０３で囲み、第一グリッド４０３のまわりを第二グリッド４０４で囲み、第二グリッド４０４のまわりを第三グリッド４０５で囲んでいる。半導体素子４０１はアノード４０２や第一グリッド４０３，第二グリッド４０４，第三グリッド４０５がある面と対向する面の全面にカソード４０６を持つ。半導体素子４０１に電離放射線が入射した場合、電離により発生した電子は最も近いアノード４０２に向かうため、各アノード４０２をピクセルと見なした位置情報を得ることが可能となる。すべてのアノード４０２は第一グリッド４０３に囲まれておりその外を電子が移動したときのアノード４０２に誘導電荷の発生は非常に小さいため、位置情報のクロストークは単にアノードだけを分割して半導体素子上に並べた検出器に比べて非常に小さく抑えられる。つまり二次元イメージデータを収集する検出器では各ピクセル毎に明確に分離した情報が得られ、鮮明な画像が得られることになる。これらは医療用の撮像装置（ガンマカメラ，ＳＰＥＣＴ：シングルフォトンエミッションＣＴ等）を含む。
【００４０】
図２における検出器を単純に並べるだけでも図６とほぼ同様の構造を実現できるが、図６の方式は一つの平板型の半導体結晶上へ電極を印刷する工程だけで実現できる。２００×２００ピクセルの検出器を考えれば４万個にわたる組立て行程がなくなり、約１／１０以上のコスト低減につながる。
【００４１】
図７は図６の多重グリッド型放射線検出器と信号読出回路実装基板との接続方法を示す。半導体素子５０１はある面上にアノード５０２，第一グリッド５０３，第二グリッド５０４，第三グリッド一括接続部５０５を持ち、アノードの対向面にはカソード５０６を持つ。信号読出回路実装基板５０７はアノード読み出し部５０８と第一グリッドバイアス部５０９，第二グリッドバイアス部５１０，第三グリッド一括バイアス部５１１を持つ。
【００４２】
導通部にはバンプ素子（バンプハンダ）５１２を間に挟み、半導体素子５０１と信号読出回路実装基板５０７の間に温度と圧力をかけるなどの方法で平板上の信号読出部や電極印加部の導通をとる。この構造によってアノード５０２は個別にアノード読出部５０８に接続され、それぞれバイアスを与えられると同時に誘起電荷量を電圧信号として読み出しが行われる。第一グリッド５０３，第二グリッド５０４はそれぞれ第一グリッドバイアス部５０９，第二グリッドバイアス部５１０と個別に接続され電位を与えられる。第三グリッド５０５は単一の電極となっているため代表して第三グリッド一括接続部５０７とした部分に対し、第三グリッド一括バイアス部５１１から電位を与える。カソード５０６には別途電位を与える。
【００４３】
この方法ではピクセル（アノード５０２〜グリッド５０５のセット）ごとに異なる電位を与えることが可能である。例えばピクセルごとの感度の均質化を図るために平面最辺部のピクセルのみに適した電位を与えることが可能となる。
【００４４】
図８は全グリッドの一括読み出しが可能な検出器を示す。半導体素子６０１上にアノード６０２を二次元アレイ状に配置する。図６での第一グリッド４０３を全てつなぎひとつの電極としたものを一括第一グリッド６０３とする。この一括第一グリッド６０３はまず列ごとにつないだものを根元でさらにつないだ形状をしている。一括第二グリッド６０４は一括第一グリッド６０３に触れることなく最も効率的には一筆書きの形状で全ピクセルを取り囲む形状をしている。一括第三グリッド６０５はアノード６０２から見て一括第二グリッド６０４の外側の面の残りの部分を埋める形状をしている。アノードと対向する面はカソード６０６を持つ。
【００４５】
一括第二グリッド６０４と同様の形状のグリッドを一括第二グリッド６０４の隣に任意に追加することで、図８の方式の電極構造においてもグリッドの本数に制限はないことがわかる。
【００４６】
図９は図８の多重グリッド検出器に対する電位を与え信号を読み出すための実装の方法を示す。
【００４７】
半導体素子７０１は或る面上にアノード７０２，一括第一グリッド７０３，一括第二グリッド７０４，一括第三グリッド７０５，対向面にはカソード７０６を持つ。実装基板７０７はアノード読み出し部７０８と一括第一グリッドバイアス部７０９，一括第二グリッドバイアス部７１０，一括第三グリッド一括バイアス部７１１を持つ。バンプ素子７１２を用いて電極と基板の接続を行う。
【００４８】
アノード７０２は個別にアノード読出部７０８に接続され、それぞれバイアスを与えられると同時に誘起電荷量を電圧信号とする読み出しが行われる。一括第一グリッド７０３，一括第二グリッド７０４，一括第三グリッド７０５はそれぞれ一括第一グリッドバイアス部７０９，一括第二グリッドバイアス部７１０，一括第三バイアス部７１１と接続され個別に電位を与えられる。カソード７０６には別途電位を与える。
【００４９】
接続数バンプ数の実例としては２００×２００ピクセルでグリッド数が３の場合、接続数は図４では２００2×３＋１＝１２０００１だが、図７では２００2＋３＝４０００３と約１／３となる。グリッド数や、特にピクセル数が増大したときにこの差は更に大きくなる。アノード７０２は位置情報を取るために個別に読み出すことが必要であり、その他の電極のみ一括して電位を与える図９での接続バンプ数は無駄のない最適数の接続方法である。その実装コストは接続バンプ数の低減率に直接比例する。上記の例では約１／３となる。
【００５０】
図１０は図３での第一グリッドをアノードとして使用する方法における一括グリッド接続用電極構造を示す。電極構造は半導体素子８０１上に複数のＣ字状アノード８０２と、Ｃ字状アノード８０２に触れずにアノード８０２の近傍全てを埋め尽くす第一グリッド８０３と、第一グリッド８０３のまわりを埋め尽くす第二グリッド８０４からなる。このときもアノードのまわりの電界が強い部分は広範囲となり、半導体素子８０１内での反応位置による信号の時間依存性が小さくなると共に検出効率の向上も図れる。
【００５１】
図１１は図３の変形例として任意延長カソード部を持つ多重グリッド放射線検出器を示す。半導体素子９０１上に形成されたアノード９０２のまわりを第一グリッド９０３が取り囲み、そのまわりを第二グリッド９０４が、更にそのまわりを第三グリッド９０５が取り囲んでいる。
【００５２】
図１２は任意延長カソード部を持つ多重グリッド放射線検出器の側面図を示す。半導体素子１００１上に形成されたアノードおよびグリッド群の存在する面１００２とそれに対向する面に形成されたカソード１００３との間に任意延長カソード１００４，１００５，１００６，１００７，１００８が存在する。
【００５３】
図１３は任意延長カソード部を持つ多重グリッド放射線検出器の全体図を示す。半導体素子１１０１は上面にアノード１１０２とそれを取り囲むグリッド群１１０３を持つ。底面にはほぼ全面を占めるカソード１１０４と、底面の一部には任意延長カソード接続部１１０５が存在する。側面を一周する帯状の第一任意延長カソード１１０６，第二任意延長カソード１１０７，第三任意延長カソード１１０８，第四任意延長カソード１１０９，第五任意延長カソード１１１０は底面の任意延長カソード接続部１１０５に続く線状の導通部を持つ。この延長カソード部に実際に電位を与えるかどうかを任意に選ぶことで、単一の半導体素子において側面カソード長さを調節することができる。放射線が上面近くでしか反応しないときは上の方まで任意延長カソードを用いるなど、入射する放射線の線質・エネルギーにより異なる反応の深さに対応した見かけ上の厚さを持った検出器として用いることができる。
【００５４】
図１４は図１１変形例の実装方法である。半導体素子１２０１上に形成された各電極から、読出用基板１２０２上につくられたアノード読出パッド１２０３，第一グリッド読出パッド１２０４，第二グリッド読出パッド１２０５，第三グリッド読出パッド１２０６に向けてボンディングで導通をとる。
【００５５】
また読出基板１２０２上に半導体素子１２０１底面の図１３任意延長カソード接続部１１０５と重なる部分に、第一任意延長カソード読出パッド１２０７から第五任意延長カソード読出パッド１２１１につながる各線をつなぐことで半導体素子１２０１からの各任意延長カソードの接続を容易にしている。これら全てを検出器シャーシ１２１２にハウジングする。
【００５６】
図１５は任意延長カソード部を持つ多重グリッド放射線検出器１３０１の構成を示す。検出器１３０１は自身に対する印加電圧回路１３０２（図内スイッチ部省略）とカソードスイッチング回路１３０３を持つ。制御回路１３０４はアノード以外の電極に定電位を与えて使用するための選択制御を行う。
【００５７】
制御回路１３０４はアノードおよびグリッド群に対する電位自体も制御できる。印加電圧回路１３０２より続くアノードのラインは前置増幅器１３０５，計測回路１３０６を経てデータ収集装置１３０７につながる。データ収集装置1307は制御回路１３０５も統括している。表示装置１３０８はデータ収集装置１３０７に接続される。
【００５８】
また本実施例で任意延長カソードとしている部分についてはグラウンド電位のみならず自由な電位を与えることも可能である。
【００５９】
図１６は本発明の変形例である全天方向検出器の要素となる六角錐多重グリッド検出器を示す。六角錐型半導体素子１４０１の頂点部分を底面と水平に切り取りアノード１４０２を形成する。アノード１４０２に近い側面を周状に第一グリッド１４０３で取り囲み、第一グリッド１４０３を第二グリッド１４０４で更に取り囲む。底面にはカソード１４０５を形成する。原理的には図３と等しく、第一グリッド１４０３によってアノード１４０２に対する誘起電荷生成領域をアノード近傍に限定し、なおかつグリッド群によって速やかな電子の収集を行う検出器である。このグリッド数も数に制限はない。
【００６０】
図１７は全天方向検出器の要素となる五角錐多重グリッド放射線検出器を示す。図１６と同様に五角錐型半導体素子１５０１の頂点部分を底面と水平に切り取りアノード１５０２を形成する。アノード１５０２に近い側面を周状に第一グリッド１５０３で取り囲み、第一グリッド１５０３を第二グリッド１５０４で更に取り囲む。底面にはカソード１５０５を形成する。
【００６１】
図１８は全天方向検出器内部の構成を示す。各半導体素子１６０１はアノード１６０２，第一グリッド１６０３，第二グリッド１６０４，カソード１６０５を持つ。球の半径の一部を成す辺上で五角錐と六角錐のグリッドの位置を合わせておけば、半導体素子１６０１の持つ第一グリッド１６０３および第二グリッド１６０４は隣接する半導体素子１６０１の持つそれぞれと接するため、全半導体素子１６０１のグリッドに対して一括して電位を与えることが容易に可能となる。五角錐と六角錐をサッカーボール状に組み合わせることで球に近い形状を持ち、まったく隙間のない検出器を形成できる。
【００６２】
図１９は４π方向検出素子の構成を示す。各半導体素子１７０１はアノード１７０２，第一グリッド１７０３，第二グリッド１７０４，カソード１７０５を持つ。検出器後段の回路は図１と同様であり、図示はしていない。全アノードをまとめて単一の後段回路で読み出せば無指向性の４π検出器となり、アノードを個別に読み出せば角度情報の得られる検出器となる。半円を成す分の角錐を組合わせれば２π型の検出器となり、その他にも必要に応じた立体角に対する検出器とすることができる。以上の如く、本変形例はほぼ４π方向に対し、アノード１７０２を一括で読み出せば無指向性検出器となり、アノード１７０２を個別に読み出せば指向性のある立体角分解能を持った検出器を任意に製作することができる。
【００６３】
球面を完全に埋め尽くさないでも、高さに対して小さな底面を持つ角錐、または円錐を並べていけばよりよい立体角分解能を持った検出器とすることが可能である。
【００６４】
以上の発明はＣｄＴｅ，ＣＺＴ，ＧａＡｓ，Ｓｉ等の全ての半導体検出器に適用可能である。
【００６５】
半導体素子をガスチェンバーとその内部に充填された計測ガスに、正孔を陽イオンに置きかえることでこれらの構成はすべてガス電離箱および比例計数管などのガス検出器に置き換えることが容易に可能である。
【００６６】
図２０は多重グリッド型放射線検出器を組み込んだＰＥＴ装置を示す。多重グリッド検出器１８０１は人体１８０２を取り囲み複数設置される。人体１８０２内に投与されたラジオアイソトープ１８０３は人体内の病巣に集まる化学形を持ったＦＤＧ（フルオロデオキシグルコース）に含まれるＦ−１８などである。多重グリッド検出器１８０１は後段のデータ収集解析装置１８０４に接続し、入出力装置１８０５および撮像表示装置１８０６などを持つ。
【００６７】
Ｆ−１８は崩壊時に陽電子を放出し、陽電子は放出地点の近傍で環境の電子と反応して５１１ｋｅＶγ線光子をほぼ１８０度対向に発生する。この１８０度対向のγ線をラジオアイソトープ１８０３から発生する放射線を複数の１８０１で同時に検出することで位置情報を得る。同時検出の検出効率は片側の検出効率の２乗となり、検出器には高い検出効率が求められる。
【００６８】
【発明の効果】
以上説明したとおり、本発明によれば、検出効率を高く維持することが可能となる。
【図面の簡単な説明】
【図１】本発明の多重グリッド型放射線検出器の構成を示す図である。
【図２】多重グリッド型放射線検出素子の電極構造図である。
【図３】多重グリッド型放射線検出素子の電極構造の詳細図である。
【図４】多重グリッド型放射線検出素子の変形例における電極構造の詳細図である。
【図５】多重グリッド型放射線検出素子の別の変形例における電極構造の詳細図である。
【図６】二次元アレイ型多重グリッド放射線検出器を示す図である。
【図７】二次元アレイ型多重グリッド放射線検出器の読み出し・電圧印加用実装方法を示す図である。
【図８】グリッド一括接続型二次元アレイ多重グリッド放射線検出器を示す図である。
【図９】グリッド一括接続型二次元アレイ多重グリッド放射線検出器を示す図である。
【図１０】Ｃ字アノード型二次元アレイ多重グリッド放射線検出器の電極構造を示す図である。
【図１１】本発明の変形例である任意延長カソード型多重グリッド放射線検出器の鳥瞰図である。
【図１２】本発明の変形例である任意延長カソード型多重グリッド放射線検出器の側面図である。
【図１３】本発明の変形例である任意延長カソード型多重グリッド放射線検出器の全体図である。
【図１４】本発明の変形例である任意延長カソード型多重グリッド放射線検出器の実装例を示す図である。
【図１５】本発明の変形例である任意延長カソード型多重グリッド放射線検出器の構成を示す図である。
【図１６】本発明の変形例である全天方向検出器の要素となる六角錐多重グリッド放射線検出器を示す図である。
【図１７】本発明の変形例である全天方向検出器の要素となる五角錐多重グリッド放射線検出器を示す図である。
【図１８】本発明の変形例である全天方向検出器の部分構成を示す図である。
【図１９】本発明の変形例である全天方向検出器の全体構成を示す図である。
【図２０】本発明である多重グリッド型放射線検出器を用いたＰＥＴ装置を示す図である。
【符号の説明】
１０１，１８０１…多重グリッド検出器、１０２，１８０２…人体、１０３，１８０３…ラジオアイソトープ、１０４…放射線発生装置、１０５，１８０４…データ収集解析装置、１０６，１８０５…入出力装置、１０７，１８０６…撮像表示装置、２０１，３０１，４０１，５０１，６０１，７０１，８０１，９０１，１００１，１１０１，１２０１，１６０１，１７０１，１９０１…半導体素子、２０２，３０２，４０２，５０２，６０２，７０２，９０２,１１０２,１４０２，１５０２，１６０２，１７０２，１９０２…アノード、２０３，３０６，４０６，５０６，６０６，７０６，１００３，１１０４，１４０５，１５０５，１６０５，１７０５，１９０４…カソード、２０４…電離放射線、２０６…電子、２０７…正孔、３０３，４０３，５０３，８０３，９０３,１４０３,１５０３，１６０３，１７０３…第一グリッド、３０４，４０４，５０４,８０４,９０４，１４０４，１５０４，１６０４，１７０４…第二グリッド、３０５，４０５，９０５…第三グリッド、５０５…第三グリッド一括接続部、５０７…信号読出回路実装基板、５０８…アノード読出部、５０９…第一グリッドバイアス部、510…第二グリッドバイアス部、５１１…第三グリッド一括バイアス部、５１２，７１２…バンプ素子、６０３，７０３…一括第一グリッド、６０４，７０４…一括第二グリッド、６０５，７０５…一括第三グリッド、７０７…実装基板、708…アノード読出部、７０９…一括第一グリッドバイアス部、７１０…一括第二グリッドバイアス部、７１１…一括第三グリッド一括バイアス部、８０２…Ｃ字状アノード、１００２…アノードおよびグリッド群の存在する面、１００４〜1008…任意延長カソード、１１０３…グリッド群、１１０５…任意延長カソード接続部、１１０６…第一任意延長カソード、１１０７…第二任意延長カソード、1108…第三任意延長カソード、１１０９…第四任意延長カソード、１１１０…第五任意延長カソード、１２０２…読出用基板、１２０３…アノード読出パッド、1204…第一グリッド読出パッド、１２０５…第二グリッド読出パッド、１２０６…第三グリッド読出パッド、１２０７…第一任意延長カソード読出パッド、１２０８…第二任意延長カソード読出パッド、１２０９…第三任意延長カソード読出パッド、１２１０…第四任意延長カソード読出パッド、１２１１…第五任意延長カソード読出パッド、１２１２…容器検出器シャーシ、１３０１…多重グリッド放射線検出器、１３０２…印加電圧回路、１３０３…カソードスイッチング回路、１３０４…制御回路、１３０５…前置増幅器、１３０６…計測回路、１３０７…データ収集装置、１３０８…表示装置、１４０１…六角錐型半導体素子、1501…五角錐型半導体素子。
【図１】
0003900992.tif 000002
【図２】
0003900992.tif 000003
【図３】
0003900992.tif 000004
【図４】
0003900992.tif 000005
【図５】
0003900992.tif 000006
【図６】
0003900992.tif 000007
【図７】
0003900992.tif 000008
【図８】
0003900992.tif 000009
【図９】
0003900992.tif 000010
【図１０】
0003900992.tif 000011
【図１１】
0003900992.tif 000012
【図１２】
0003900992.tif 000013
【図１３】
0003900992.tif 000014
【図１４】
0003900992.tif 000015
【図１５】
0003900992.tif 000016
【図１６】
0003900992.tif 000017
【図１７】
0003900992.tif 000018
【図１８】
0003900992.tif 000019
【図１９】
0003900992.tif 000020
【図２０】
0003900992.tif 000021